(57)【要約】【課題】所望する光量または照射時間のユーザ指定を容易にする照明システムを提供する。【解決手段】照明システム１は、ユーザに照明光を照射する照明光源６と、ユーザ操作を受け付けるユーザインターフェース部３と、照明光源６の光量および照射時間を制御するコントローラ２と、光量と照射時間との間に負の相関性を持たせた特性情報２１ａを記憶する記憶部２１とを備え、ユーザインターフェース部３に対して光量および照射時間の一方の値を指定するユーザ操作がなされたときに、コントローラ２は、他方の値を特性情報に従って決定し、指定された一方の値および決定された他方の値に従って照明光源６を制御する。【選択図】図１
2017091884.tif 000002
【特許請求の範囲】
【請求項１】
ユーザに照明光を照射する照明光源と、
ユーザ操作を受け付けるユーザインターフェース部と、
前記照明光源の光量および照射時間を制御するコントローラと、
前記光量と前記照射時間との間に負の相関性を持たせた特性情報を記憶する記憶部と
を備え、
前記ユーザインターフェース部に対して前記光量および前記照射時間の一方の値を指定するユーザ操作がなされたときに、前記コントローラは、他方の値を前記特性情報に従って決定し、指定された一方の値および決定された他方の値に従って前記照明光源を制御する
照明システム。
【請求項２】
前記特性情報は、互いに異なる負の相関性を有する複数の特性曲線データを含み、
前記コントローラは、ユーザの月経関連情報および睡眠関連情報の少なくとも一方に基づいて前記複数の特性曲線データのうち１つの特性曲線データを選択し、選択した特性曲線データに従って前記他方の値を決定する
請求項１に記載の照明システム。
【請求項３】
前記複数の特性曲線データは、月経前症候群または睡眠障害の症状の重さに対応する
請求項２に記載の照明システム。
【請求項４】
前記照明光源は、白色光を発する白色光源と、青色光を発する青色光源とを含む
請求項１、２または３に記載の照明システム。
【請求項５】
前記記憶部は、さらに、前記照明光源の光量と前記青色光源の光量とを対応付けた調光カーブデータを記憶し、
前記コントローラは、調光カーブデータに従って前記青色光源の光量を決定する
請求項４に記載の照明システム。
【請求項６】
前記ユーザインターフェース部は、
前記光量の値および前記照射時間の値を示す表示項目を表示する表示パネルと、
ユーザ操作を受け付ける操作部とを有し、
前記コントローラは、指定された前記一方の値および決定された前記他方の値を表示するよう前記表示項目を更新する
請求項１〜５の何れか１項に記載の照明システム。
【請求項７】
前記表示パネルは、前記照明光の照射を開始後に残り時間を表示する
請求項６に記載の照明システム。
【請求項８】
前記表示パネルは、前記光量および前記照射時間の一方について指定可能な範囲の上限および下限の少なくとも一方を示すマークを表示する
請求項６に記載の照明システム。
【請求項９】
前記表示パネルは、前記光量および前記照射時間を含む複数のパラメータに対応する複数の操作画像と、前記複数のパラメータの値をキープするか否かを示す複数の操作ボタン画像とを表示し、
前記操作部は、前記表示パネルに表示された前記複数の操作画像および複数の操作ボタンへのユーザ操作を受け付ける
請求項６に記載の照明システム。
【請求項１０】
ユーザに照明光を照射する照明光源を制御する操作装置であって、
ユーザ操作を受け付けるユーザインターフェース部と、
前記照明光源の光量および照射時間を制御するコントローラと、
前記光量と前記照射時間との間に負の相関性を持たせた特性情報を記憶する記憶部と
を備え、
前記ユーザインターフェース部に対して前記光量および前記照射時間の一方の値を指定する操作がなされたときに、前記コントローラは、他方の値を前記特性情報で従って決定し、指定された一方の値および決定された他方の値に従って前記照明光源を制御する
操作装置。
【請求項１１】
ユーザに照明光を照射する光照射方法であって、
光量および照射時間の一方の値を指定するユーザ操作を受け付け、
前記光量および前記照射時間のうち指定されなかった他方の値を、前記光量と前記照射時間との間に負の相関性を持たせた特性情報に従って決定し、
指定された一方の値および決定された他方の値に従ってユーザに前記照明光を照射する
光照射方法。
【発明の詳細な説明】
【技術分野】
【０００１】
本発明は、ユーザに照明光を照射する照明システム、操作装置および光照射方法に関する。
【背景技術】
【０００２】
一般に、月経前症候群（ＰＭＳ：Ｐｒｅｍｅｎｓｔｒｕａｌ  Ｓｙｎｄｒｏｍｅ）あるいは睡眠障害は、適量の光を生体に浴びさせることで緩和することが知られている。
【０００３】
特許文献１は、現在の体調を判定する体調判定手段と、寝床の温度を調節する温度調節手段と、判定された現在の体調に基づいて温度調節手段の動作を制御する制御手段を備える婦人用睡眠環境制御装置を開示している。
【先行技術文献】
【特許文献】
【０００４】
【特許文献１】特開２００３−１６４５２７号公報
【発明の概要】
【発明が解決しようとする課題】
【０００５】
しかしながら、適切な光量および照射時間の組み合わせは、科学的に実証されているが、専門家でなければ、その組み合わせを照明システムに設定することが困難である。言い換えれば、ユーザは、光量または照射時間の希望（例えば、弱い光を浴びたい、強い光を浴びたい、照明時間を短くしたい、長くしたい）があっても、適切な光量および照射時間の組み合わせを指定（つまり照明システムに設定）することが困難である。
【０００６】
本発明は、所望する光量または照射時間のユーザ指定を容易にする照明システム、操作装置および光照射方法を提供する。
【課題を解決するための手段】
【０００７】
上記目的を達成するために、本発明に係る照明システムの一形態は、ユーザに照明光を照射する照明光源と、ユーザ操作を受け付けるユーザインターフェース部と、前記照明光源の光量および照射時間を制御するコントローラと、前記光量と前記照射時間との間に負の相関性を持たせた特性情報を記憶する記憶部とを備え、前記ユーザインターフェース部に対して前記光量および前記照射時間の一方の値を指定するユーザ操作がなされたときに、前記コントローラは、他方の値を前記特性情報に従って決定し、指定された一方の値および決定された他方の値に従って前記照明光源を制御する。
【０００８】
また、本発明に係る操作装置の一形態は、ユーザに照明光を照射する照明光源を制御する操作装置であって、ユーザ操作を受け付けるユーザインターフェース部と、前記照明光源の光量および照射時間を制御するコントローラと、前記光量と前記照射時間との間に負の相関性を持たせた特性情報を記憶する記憶部とを備え、前記ユーザインターフェース部に対して前記光量および前記照射時間の一方の値を指定する操作がなされたときに、前記コントローラは、他方の値を前記特性情報で従って決定し、指定された一方の値および決定された他方の値に従って前記照明光源を制御する。
【０００９】
本発明に係る光照射方法の一形態は、ユーザに照明光を照射する光照射方法であって、光量および照射時間の一方の値を指定するユーザ操作を受け付け、前記光量および前記照射時間のうち指定されなかった他方の値を、前記光量と前記照射時間との間に負の相関性を持たせた特性情報に従って決定し、指定された一方の値および決定された他方の値に従ってユーザに前記照明光を照射する。
【発明の効果】
【００１０】
本発明に係る照明システム、操作装置および光照射方法によれば、所望する光量または照射時間のユーザ指定を容易にすることができる。つまり、ユーザは手間をかけることなく光量または照射時間を指定することができ、適切な光量および照射時間の組み合わせで光の照射を受けることができる。
【図面の簡単な説明】
【００１１】
【図１】図１は、実施の形態１における照明システムの構成例を示すブロック図である。
【図２】図２は、実施の形態１におけるＵＩ部の表示例を示すブロック図である。
【図３】図３は、実施の形態１における記憶部に記憶された特性情報の一例を示す図である。
【図４】図４は、実施の形態１におけるＵＩ部の表示例と特性情報とを示す説明図である。
【図５】図５は、実施の形態１におけるＵＩ部の表示例と特性情報とを示す説明図である。
【図６】図６は、実施の形態１におけるコントローラの動作例を示すフローチャートである。
【図７】図７は、実施の形態２における記憶部に記憶された特性情報および月経関連情報の一例を示す説明図である。
【図８】図８は、実施の形態２におけるＵＩ部の表示例と特性情報とを示す説明図である。
【図９】図９は、実施の形態２における特性曲線の選択処理の一例を示すフローチャートである。
【図１０】図１０は、実施の形態２における月経関連情報の一例を示す説明図である。
【図１１Ａ】図１１Ａは、図１０中のＰＳＳＴの精神身体症状に関するデータ例を示す図である。
【図１１Ｂ】図１１Ｂは、図１０中のＰＳＳＴの社会的症状に関するデータ例を示す説明図である。
【図１２】図１２は、図１０中のＰＳＱに関するデータ例を示す説明図である。
【図１３】図１３は、月経周期における精神、体および肌の状態を示す図である。
【図１４】図１４は、月経周期におけるホルモン分泌量および基礎体温を示す図である。
【図１５】図１５は、実施の形態２の変形例における記憶部に記憶された特性情報および睡眠関連連情報の一例を示す説明図である。
【図１６】図１６は、実施の形態２の変形例におけるＵＩ部の表示例と特性情報とを示す説明図である。
【図１７】図１７は、実施の形態２の変形例における特性曲線の選択処理の一例を示すフローチャートである。
【図１８】図１８は、実施の形態２の変形例における睡眠関連情報のデータ例を示す説明図である。
【図１９】図１９は、実施の形態２の変形例における睡眠関連情報の一部のデータ例を示す説明図である。
【図２０】図２０は、実施の形態３における照明光源の構成例を示す説明図である。
【図２１】図２１は、実施の形態３におけるＵＩ部の表示例を示す図である。
【図２２】図２２は、実施の形態３における月経周期における適切な青色光量および重症度を示す図である。
【図２３】図２３は、実施の形態３におけるＵＩ部の他の表示例を示す図である。
【図２４Ａ】図２４Ａは、実施の形態３における青色照度と光源全体の照度とを示す特性情報の一例を示す図である。
【図２４Ｂ】図２４Ｂは、実施の形態３における光量と照射時間との特性情報の一例を示す図である。
【図２５】図２５は、実施の形態３におけるＵＩ部のさらに他の表示例と特性情報とを示す説明図である。
【発明を実施するための形態】
【００１２】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置および接続形態、ステップおよびステップの順序等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密な寸法を表すものではない。
【００１３】
（実施の形態１）
［１．１  照明システムの構成例］
まず、実施の形態１における照明システムの構成について説明する。本実施の形態における照明システムは、生理前症候群（ＰＭＳ）、睡眠障害、うつ病などを改善するための光施療などに用いられる。
【００１４】
図１は、実施の形態１における照明システム１の構成例を示すブロック図である。同図の照明システム１は、照明光源６と電源ユニット５と操作装置４とを備える。
【００１５】
照明光源６は、ユーザに照明光を照射する。照明光は、例えば白色光でよく、ユーザが椅子に座った状態またはベッドに横たわった状態でユーザの身体の一部分または全身に照射される。照明光源６は、調光機能だけでなく調色機能も有していてもよい。調光機能および調色機能は、電源ユニット５を介して操作装置４によって制御される。
【００１６】
電源ユニット５は、照明光源６に電源を供給する。
【００１７】
操作装置４は、コントローラ２、ユーザインターフェース部（以下、ＵＩ部と略す）３を備え、ユーザ操作を受け付ける。
【００１８】
コントローラ２は、記憶部２１を有し、照明光源６の光量および照射時間を制御する。
【００１９】
記憶部２１は、光量と前記照射時間との間に負の相関性を持たせた特性情報を記憶する。
【００２０】
ＵＩ部３は、表示パネル３１と操作部３２とを有する。ＵＩ部３は、例えば、表示パネル３１としての液晶表示パネルの画面上に、操作部３２としてのタッチパネルを備えるＧＵＩ（グラフィカル・ユーザ・インターフェース）であってもよい。
【００２１】
コントローラ２は、ＵＩ部３に対して光量および照射時間の一方の値を指定するユーザ操作がなされたときに、他方の値を特性情報に従って決定し、指定された一方の値および決定された他方の値に従って照明光源を制御する。
【００２２】
［１．２  ユーザインターフェース部の表示例］
つぎに、ユーザ操作を受け付けるユーザインターフェース部３の表示例について説明する。
【００２３】
図２は、実施の形態１におけるＵＩ部３の表示例を示す図である。同図は、ＵＩ部３の表示パネル３１おけるＧＵＩの一例を示している。同図の表示パネル３１は、表示項目３ａが表示されている。
【００２４】
表示項目３ａは、照明光源６の光量を指定するための操作アイコンであり、同図の「しっかり」（光量が多い、または照度が強い）から「やさしく」（光量が少ない、または照度が弱い）までの範囲内で、ユーザ操作によりスライド可能なスライダーアイコンを表している。ユーザは、表示項目３ａへのスライド操作により所望する光量を指定可能である。
【００２５】
表示項目３ｂは、照明光源６の照射時間を指定するための操作アイコンであり、同図の「いそぎ」（照射時間が短い）から「ゆっくり」（照射時間が長い）までの範囲内で、ユーザ操作によりスライド可能なスライダーアイコンを表している。ユーザは、表示項目３ｂへのスライド操作により所望する照射時間を指定可能である。
【００２６】
表示項目３ｃは、表示項目３ａまたは３ｂへのユーザ操作の完了後に、照明光源６からユーザへの照明光の照射の開始を指示するための操作アイコンであり、押しボタンアイコンを表している。
【００２７】
表示項目３ｄは、照明光源６からユーザへの照明光の照射の一時停止およびその再開を指示する操作アイコンであり、押しボタンアイコンを表している。
【００２８】
表示項目３ｅは、照明システム１の電源オンおよびオフ、または、照明光源６のオンおよびオフを指示する操作アイコンであり、押しボタンアイコンを表している。
【００２９】
表示項目３ｆは、照明光の照射開始後に、指定または設定された照射時間から、照射の経過時間を引いた残り時間を表示する操作アイコンであり、押しボタンを表している。
【００３０】
［１．３  特性情報の一例］
次に、特性情報の具体例について説明する。
【００３１】
図３は、実施の形態１における記憶部２１に記憶された特性情報の一例を示す図である。同図の横軸は照明光源６による照射時間（分）を示す。縦軸は、照明光源６からユーザへの照明光の照度（ｌｘ）を示す。この特性情報は、ＰＭＳ、うつ病、睡眠不良の改善に適切な光量と照射時間の組み合わせを表しており、光量（照度）と照射時間との間に負の相関性を持たせている。適切な光量と照射時間との組み合わせというのは、単位期間において日中にユーザが浴びるべき光量と照射時間とをいう。単位期間は、例えば、１日である。浴びるべき時間帯は、例えば午前中の時間帯でよいが、就寝の時間帯でなければよく午前でも午後でもよい。
【００３２】
以上のように構成された照明システム１について、以下その動作について説明する。
【００３３】
［１．４  照明システムの動作］
次に、照明システム１の動作の概要について説明する。
【００３４】
図４、図５は、実施の形態１におけるＵＩ部の表示例と特性情報とを示す説明図である。
【００３５】
図４左側に示す表示例では、光量を示す表示項目３ａは、「やさしく」(つまり最も少ない光量)を指している。また、照射時間を示す表示項目３ｂは、「ゆっくり」（つまり最も長い時間）を指している。この表示例は、図４右側の特性情報におけるＡ点に対応し、光量（照度）２５０ｌｘ、照射時間１２０分に対応する。この指定では、ユーザは１２０分かけて最も少ない光量の照射を受けることになる。もし、ユーザが照射時間１２０分を短くしたい場合は、照射時間の指定を表示項目３ｂへのユーザ操作によって変更することがきる。
【００３６】
図５左側に示す表示例では、図４左側の状態から、照射時間の指定を表示項目３ｂへのユーザ操作によって変更した例を示す。この変更がなされたとき、コントローラ２は、表示項目３ｂがユーザ操作により照射時間として９０分を指定したことを検出し、記憶部２１の特性情報を参照することにより照射時間９０分に対応する照度（光量）を決定する。図５右側のＢ点が示すように、照射時間９０分に対応する照度は約５００ｌｘであることから、コントローラ２は、ユーザが操作していない表示項目３ａのスライド位置を照度５００ｌｘに対応する位置にするように表示パネル３１の表示を更新する。これにより、表示パネル３１は、図５左側の表示例になる。
【００３７】
また、図４左側の状態で、ユーザが表示項目３ａの指定を変更する操作した場合、コントローラ２は、ユーザ操作によって表示項目３ａが約５００ｌｘを指定したことを検出し、記憶部２１の特性情報を参照することにより照度５００ｌｘに対応する照射時間を決定する。図５右側のＢ点が示すように、照度約５００ｌｘに対応する照射時間は約９０分であることから、コントローラ２は、ユーザが操作していない表示項目３ｂのスライド位置を、照射時間９０分に対応する位置にするよう表示パネル３１の表示を更新する。この更新によって、表示パネル３１は、図５左側の表示例になる。
【００３８】
図５左側の状態で、表示項目３ｃのスタートボタンを押すユーザ操作になされたとき、コントローラ２は、ユーザに指定された値および特性情報から決定した値に従って照明光源６による照明光の照射を開始する。
【００３９】
［１．５  コントローラ２の動作例］
続いて、コントローラ２の制御による照明システム１の動作例について説明する。
【００４０】
図６は、実施の形態１におけるコントローラ２の動作例を示すフローチャートである。同図のように、コントローラ２は、ＵＩ部３の表示項目３ａに対して光量を指定するユーザ操作がなされたときに（Ｓ６１）、特性情報に従って照射時間を決定する（Ｓ６２）。さらに、コントローラ２は、ユーザ操作がなされていない表示項目３ｂのスライダ位置を、決定した値に対応する位置にするように表示パネル３１を更新する（Ｓ６５）。
【００４１】
また、コントローラ２は、ＵＩ部３の表示項目３ｂに対して照射時間を指定するユーザ操作がなされたときに（Ｓ６３）、特性情報に従って光量を決定する（Ｓ６４）。さらに、コントローラ２は、ユーザ操作がなされていない表示項目３ａのスライダ位置を、決定した値に対応する位置にするように表示パネル３１を更新する（Ｓ６５）。
【００４２】
図６のフローチャートは、表示項目３ａおよび３ｂに対するユーザ操作がなされる毎に、実行される。
【００４３】
このように、ＵＩ部３に対して光量および照射時間の一方の値を指定するユーザ操作がなされたときに、コントローラ２は、他方の値を特性情報に従って決定し、指定された一方の値および決定された他方の値に従って照明光源６を制御する。
【００４４】
以上説明してきたように本実施の形態における照明システム１によれば、所望する光量または照射時間のユーザ指定を容易にすることができる。
【００４５】
以上のように実施の形態１に係る照明システムによれば、光施療における光量および照射時間の適切な組み合わせをユーザが考慮する必要がなく、ユーザは所望するパラメータ（光量および照射時間の一方）の１つを自由に指定することができる。つまり、ユーザは、光量または照射時間の希望（例えば、弱い光を浴びたい、強い光を浴びたい、照明時間を短くしたい、長くしたい）を指定すれば、照明システム１において光量および照射時間の適切な組み合わせにすることができる。
【００４６】
また、ユーザはパラメータ（ここでは、光量または照射時間）の表示項目を視認しつつ、容易に所望するパラメータを指定することができる。
【００４７】
（実施の形態２）
実施の形態２では、記憶部２１が特性情報として、互いに異なる負の相関性を有する複数の特性曲線データを記憶する構成について説明する。
【００４８】
［２．１  照明システムの構成例］
まず、実施の形態２における照明システムの構成について説明する。
【００４９】
本実施の形態２における照明システム１の構成例は、図１と同様でよいので、以下異なる点を中心に説明する。
【００５０】
図７は、実施の形態２における記憶部２１に記憶された特性情報および月経関連情報の一例を示す説明図である。
【００５１】
記憶部２１は、特性情報２１ａおよび月経関連情報２１ｂを記憶する。特性情報２１ａは、互いに異なる負の相関性を有する複数の特性曲線データ２ａ、２ｂ、・・・を含んでいる。月経関連情報２１ｂは、ユーザの月経前症候群の症状の軽重などを表し、複数の複数の特性曲線データのうち１つを選択する基準となる。
【００５２】
［２．２  ユーザインターフェース部の表示例］
つぎに、ユーザ操作を受け付けるユーザインターフェース部３の表示例について説明する。
【００５３】
図８は、実施の形態２におけるＵＩ部３の表示例と特性情報とを示す説明図である。図８左側の表示例は、図２と比べて、表示項目３ｇが追加されている点が異なっている。以下異なる点を中心に説明する。
【００５４】
表示項目３ｇは、月経関連情報２１ｂをユーザが手入力するための入力ボックスである。同図の表示例では、入力項目の一部として「前回の月経開始日」および「今朝の基礎体温」が例示されている。月経関連情報２１ｂは、ＵＩ部３を通してユーザが手入力してもよいし、スマホのアプリなどを通して照明システム１に入力してもよい。また、月経関連情報２１ｂは、予め、体調の軽重を主観的に表現できるような複数の表現内容（体調がしんどい、ＰＭＳ症状軽め、光施療をしっかりしたいなど）の中から選ばれてものでもよいし、具体的な数値情報（全快の月経開始日からの経過日時、今朝の基礎体温、心拍数など）であってもよい。
【００５５】
表示項目３ｇに対してユーザによる月経関連情報２１ｂの入力操作があったとき、または、記憶部２１にユーザの現状を示す月経関連情報２１ｂが保存されているとき、コントローラ２は、月経前症候群の症状の軽重を判定し、複数の特性曲線データの中から、判定した軽重に対応する特性曲線データを１つ選択する。図８右側の特性情報において実線の特性曲線は特性曲線データ２ａに対応し、破線の特性曲線は特性曲線データ２ｂに対応する。また、図８右側では、表示項目３ｇに入力された月経関連情報に従って、複数の特性曲線データのうち特性曲線データ２ａが選択されたことを示している。図８左側の表示項目３ａ、３ｂのスライダーアイコンの位置は、図８右側の特性曲線データ２ａ上のＣ点（１２０分、約１０００ｌｘ）に対応している。ユーザは、表示項目３ｇへの入力操作完了後に、表示項目３ａ、３ｂを見ながら光量および照射時間の一方を希望通りに容易に指定すればよい。
【００５６】
［２．３  コントローラ２の動作例］
続いて、コントローラ２の制御による照明システム１の動作例について説明する。
【００５７】
コントローラ２は、実施の形態１と比較して、特性曲線の選択処理を行う点が追加されている。以下、異なる点を中心に説明する。
【００５８】
図９は、実施の形態２における特性曲線の選択処理の一例を示すフローチャートである。同図の選択処理は、表示項目３ｇに対するユーザ操作に応じて実行される。ユーザは、表示項目３ｇに対するユーザ操作を、表示項目３ａまたは３ｂに対するユーザ操作の前に行うべきである。
【００５９】
図９のように、コントローラ２は、ＵＩ部３における表示項目３ｇに対して月経関連情報の入力が完了したか否かを判定する（Ｓ９１）。入力が完了した場合、コントローラ２は、月経関連情報に基づいて月経前症候群の軽重（重症度）を判別し（Ｓ９２）、記憶部２１に記憶された複数の特性曲線データ２ａ、２ｂ、・・・の中から判別した重症度に対応する特性曲線データを１つ選択する（Ｓ９３）。図８右側では、特性曲線データ２ａが選択されたことを示している。
【００６０】
なお、ステップＳ９１では、表示項目３ｇに対するユーザの入力操作の完了を判定する代わりに、ＳＤカード、ＵＳＢメモリまたはクラウド（インターネット上のサーバ）から記憶部２１にユーザの現時点の月経関連情報２１ｂが格納されたか否かを判定してもよい。
【００６１】
このように、実施の形態２では、記憶部２１が特性情報として、互いに異なる負の相関性を有する複数の特性曲線データを記憶し、コントローラ２が、ユーザの月経前症候群の軽重（つまり重症度）に応じて複数の特性曲線データの１つを選択する。これにより、照明システム１は、ユーザの月経前症候群の軽重（つまり重症度）に応じて最適な光量および照射時間を決定することができる。
【００６２】
［２．３  月経関連情報の一例］
つづいて、月経関連情報について説明する。
【００６３】
図１０は、実施の形態２における月経関連情報の一例を示す説明図である。同図は、月経関連情報を構成する項目（月経周期日数など）とデータ（ｄ１など）とを示している。記憶部２１は、月経関連情報２１ｂとして同図の項目に対応するデータを記憶する。月経関連情報２１ｂは、同図に示す項目の１つ以上を含む。すなわち、月経関連情報２１ｂは、月経周期日数、月経開始日、月経周期、基礎体温、黄体化ホルモン分泌量、黄体ホルモン分泌量、卵胞ホルモン分泌量、月経痛の主観レベル（なし-ややあり-あり-非常にあり）、月経前症候群の主観評価ＰＰＳＴ（Premenstrual Symptoms Screening tool）、ＰＳＱ（Premenstrual Symptoms Questionnaire）の１つ以上を含む。コントローラ２は、図９のステップＳ９２において、図１０の各項目から算出される月経前症候群の重症度（例えば、症状なし、軽度、中度、重度、ＰＭＤＤ)を判別する。ここでＰＭＤＤ（Premenstrual Dysphoric Disorder：月経前不快気分障害）は月経前症候群の「重度」より重症な症状を示す区分である。
【００６４】
ここで、上記ＰＳＳＴについて説明する。
【００６５】
図１１Ａは、図１０中のＰＳＳＴの精神身体症状に関するデータ例を示す図である。このデータ例は、ＰＳＳＴの精神身体症状に関する１〜１３、１４−１〜１４−５の各項目についてａ〜ｄの４段階の何れに該当するかを示すデータを含む。
【００６６】
図１１Ｂは、図１０中のＰＳＳＴの社会的症状に関するデータ例を示す説明図である。このデータ例は、ＰＳＳＴの社会的症状に関するＡ〜Ｅの各項目についてｅ〜ｈの４段階の何れに該当するかを示すデータを含む。
【００６７】
さらに、上記ＰＳＱについて説明する。
【００６８】
図１２は、図１０中のＰＳＱに関するデータ例を示す説明図である。このデータ例は、ＰＳＱの（Ａ）中の１〜１１、および（Ｂ）中の１〜３の各項目についてｉ〜ｌの４段階の何れに該当するかを示すデータを含む。
【００６９】
ここで、上記ＰＳＳＴおよびＰＳＱの前提となる月経の周期と症状について、図１３、図１４を用いて簡単に説明する。
【００７０】
図１３は、月経周期における精神、体および肌の状態を示す図である。同図では、月経開始からの日数、フェーズ、ＰＭＳ期、精神状態、体の状態、肌の状態の関係をまとめてある。一般的に月経周期の4種の期において図１３のように心身の状態が変化する．黄体期後半から月経開始３、４日までの期間は表のような月経前症候群（ＰＭＳ）の症状が生じる。
【００７１】
図１４は、月経周期におけるホルモン分泌量および基礎体温を示す図である。同図では、月経周期に応じたエストロゲン（排卵ホルモン）、プロゲストロン（黄体ホルモン）の分泌量および基礎体温曲線を示している。ＰＭＳは黄体ホルモン（プロゲステロン）の低下に伴う、セロトニンの低下が主な原因とされ、精神的に不安定な状態や眠気、不眠、頭痛などが生じやすい。また、図１４中の破線枠は、ＰＭＳの発祥時期を表す。ＰＭＳの症状は月経開始の約１週間前から生じ始め、症状のピークは月経前の数日であり、月経開始とともに症状は低下、消失する。月経痛は一般的に月経開始とともに生じ、症状のピークは月経２日目とされ、月経３日目以降は症状が低減、消失する。
【００７２】
上記のようなＰＭＳに対して、実施の形態２では、複数の特性曲線データの中から、ＰＭＳの軽重に応じて特性曲線データの１つを選択する。これにより、照明システム１は、ＰＭＳの症状に応じて適切な光量と照射時間を決定することができる。
【００７３】
［２．４  変形例］
次に、実施の形態２の変形例における照明システムの構成について説明する。この変形例では、記憶部２１が月経関連情報の代わりに睡眠関連情報を記憶する点が主に異なっている。以下、異なる点を中心に説明する。
【００７４】
図１５は、実施の形態２の変形例における記憶部２１に記憶された特性情報２１ａおよび睡眠関連連情報２１ｃの一例を示す説明図である。
【００７５】
同図の記憶部２１は、特性情報２１ａおよび睡眠関連情報２１ｃを記憶する。睡眠関連情報２１ｃは、ユーザの睡眠障害または睡眠満足度の軽重などを表し、複数の複数の特性曲線データのうち１つを選択する基準となる。
【００７６】
［２．５  ユーザインターフェース部の表示例］
つぎに、本変形例におけるユーザ操作を受け付けるユーザインターフェース部３の表示例について説明する。
【００７７】
図１６は、実施の形態２の変形例におけるＵＩ部３の表示例と特性情報とを示す説明図である。図１６左側の表示例は、図２と比べて、表示項目３ｈが追加されている点が異なっている。以下異なる点を中心に説明する。
【００７８】
表示項目３ｈは、睡眠関連情報２１ｃをユーザが手入力するための入力ボックスである。同図の表示例では、入力項目の一部として「目覚めの気分」および「睡眠時間」が例示されている。記憶部２１ｃ、ＵＩ部３を通してユーザが手入力してもよいし、スマホのアプリなどを通して照明システム１に入力してもよい。また、睡眠関連情報２１ｃは、予め、睡眠障害または睡眠満足度の軽重を主観的に表現できるような複数の表現内容の中から選ばれてものでもよいし、具体的な数値情報であってもよい。
【００７９】
表示項目３ｈに対してユーザによる睡眠関連情報２１ｃの入力操作があったとき、または、記憶部２１にユーザの現状を示す睡眠関連情報２１ｃが保存されているとき、コントローラ２は、睡眠障害または睡眠満足度群の軽重を判定し、複数の特性曲線データの中から、判定した軽重に対応する特性曲線データを１つ選択する。図１６右側の特性情報において実線の特性曲線は特性曲線データ２ｂに対応し、破線の特性曲線は特性曲線データ２ａに対応する。また、図１６右側では、表示項目３ｈに入力された睡眠関連情報に従って、複数の特性曲線データのうち特性曲線データ２ｂが選択されたことを示している。図１６左側の表示項目３ａ、３ｂのスライダーアイコンの位置は、図１６右側の特性曲線データ２ｂ上のＤ点（１２０分、約５００ｌｘ）に対応している。ユーザは、表示項目３ｈへの入力操作完了後に、表示項目３ａ、３ｂを見ながら光量および照射時間の一方を希望通りに容易に指定すればよい。
【００８０】
［２．６  コントローラ２の動作例］
続いて、コントローラ２の制御による照明システム１の動作例について説明する。
【００８１】
コントローラ２は、実施の形態１と比較して、特性曲線の選択処理を行う点が追加されている。以下、異なる点を中心に説明する。
【００８２】
図１７は、実施の形態２の変形例における特性曲線の選択処理の一例を示すフローチャートである。同図の選択処理は、表示項目３ｈに対するユーザ操作に応じて実行される。ユーザは、表示項目３ｈに対するユーザ操作を、表示項目３ａまたは３ｂに対するユーザ操作の前に行うべきである。
【００８３】
図１７のように、コントローラ２は、ＵＩ部３における表示項目３ｈに対して睡眠関連情報の入力が完了したか否かを判定する（Ｓ１１１）。入力が完了した場合、コントローラ２は、睡眠関連情報に基づいて睡眠障害または睡眠満足度の軽重（重症度）を判別し（Ｓ１１２）、記憶部２１に記憶された複数の特性曲線データ２ａ、２ｂ、・・・の中から判別した重症度に対応する特性曲線データを１つ選択する（Ｓ１１３）。図１６右側では、特性曲線データ２ｂが選択されたことを示している。
【００８４】
なお、ステップＳ１１１では、表示項目３ｈに対するユーザの入力操作の完了を判定する代わりに、ＳＤカード、ＵＳＢメモリまたはクラウド（インターネット上のサーバ）から記憶部２１にユーザの現時点の睡眠関連情報２１ｃが格納されたか否かを判定してもよい。
【００８５】
このように、実施の形態２の変形例では、記憶部２１が特性情報として、互いに異なる負の相関性を有する複数の特性曲線データを記憶し、コントローラ２が、ユーザの睡眠障害または睡眠満足度の軽重（つまり重症度）に応じて複数の特性曲線データの１つを選択する。これにより、照明システム１は、ユーザの睡眠障害または睡眠満足度の軽重（つまり重症度）に応じて最適な光量および照射時間を決定することができる。
【００８６】
［２．７  睡眠関連情報の一例］
続いて、睡眠関連情報について説明する。
【００８７】
続いて、睡眠関連情報について説明する。
【００８８】
図１８は、実施の形態２の変形例における睡眠関連情報のデータ例を示す説明図である。同図は、睡眠関連情報を構成する項目（前日の睡眠時間など）とデータ（ｄ２１など）とを示している。記憶部２１は、睡眠関連情報２１ｃとして同図の項目に対応するデータを記憶する。睡眠関連情報２１ｃは、例えば、同図に示す項目の１つ以上を含む。すなわち、睡眠関連情報２１ｃは、前日の睡眠時間、就寝時間、当日の起床時間、数日間の睡眠時間、活動量、睡眠の質の主観評価、睡眠の主観満足度、呼吸状態、脳波、体動の１つ以上を含む。コントローラ２は、図１７のステップＳ１１２において、図１８の各項目から算出される睡眠障害または睡眠満足度の軽重を判別する。
【００８９】
ここで、睡眠関連情報の一部である「睡眠の質の主観評価」について説明する。
【００９０】
図１９は、実施の形態２の変形例における睡眠関連情報の一部のデータ例を示す説明図である。同図の「睡眠の質の主観評価」を示すデータは、１〜１６の各項目についてａ〜ｄのいずれに該当するかを示すデータを含む。
【００９１】
上記のような睡眠関連情報を用いて、実施の形態２の変形例では、複数の特性曲線データの中から、睡眠障害または睡眠満足度の軽重に応じて特性曲線データの１つを選択する。これにより、照明システム１は、睡眠障害または睡眠満足度の軽重に応じて適切な光量と照射時間を決定することができる。
【００９２】
（実施の形態３）
実施の形態３における照明システム１は、実施の形態１、２の動作に加えて、ユーザが青色光の光量を指定可能になっている点が異なる。
【００９３】
［３．１  照明システムの構成例］
実施の形態３における照明システム１の全体構成は、図１とほぼ同じである。以下異なる点について説明する。
【００９４】
図２０は、実施の形態３における照明光源６の構成例を示す説明図である。この第２センサ部６は、白色光源６１、白色光源６２、青色光源６３を備える。
【００９５】
例えば、白色光源６１は、白色光源６２よりも色温度が高い。
【００９６】
青色光源６３は、波長４８０ｎｍの前後４０ｎｍ以内にピークを有するスペクトルをもつ。
【００９７】
実施の形態３において、ユーザが青色光の光量を指定可能になっているのは、次の理由による。
【００９８】
光施療では、季節性うつ病、睡眠相後退症候群や月経前症候群による概日リズムの乱れや眠気、不眠に対し、起床時や日中に高照度の光照射を行い、メラトニンの分泌リズム及び概日リズムを整える。メラトニンの分泌に影響する光の波長のピーク（アクションスペクトル）は、480nm付近とされ、この付近の波長を含む青色光が施療に有効とされる。
【００９９】
本実施形態では、症状が重いときは照射する青色光量を多く、症状が軽いときは少なく制御することができる。
【０１００】
月経前症候群の症状が生じる前から照射を実施すれば、生体リズムを整え、症状の重症度を低減することができる。症状の終了時は照射なしでも症状は低下するため、月経開始後は照射する青色光量を低下させ、開始時のほうが青色光量が大きくなるよう制御することが可能である。
【０１０１】
また、月経前症候群の症状の重症度や月経痛は月経周期日数に応じて変化するため、月経周期日数、月経開始日、月経周期によって症状の重症度を予測し、青色光量を制御することも可能である。
【０１０２】
月経周期日数に応じて変化する、基礎体温、黄体化ホルモン分泌量、黄体ホルモン分泌量、卵胞ホルモン分泌量の値によっても症状の重症度を予測し、青色光量を制御することも可能である。
【０１０３】
以上の理由により、青色光量を指定可能にすることは、光照射の効果をより大きくすることができる。
【０１０４】
［３．２  ユーザインターフェース部の表示例］
つぎに、ユーザ操作を受け付けるユーザインターフェース部３の表示例について説明する。
【０１０５】
図２１は、実施の形態３におけるＵＩ部３の表示例を示す図である。同図の表示例は、図２と比べて、表示項目３ｉが追加されている点が異なる。以下、異なる点を中心に説明する。
【０１０６】
表示項目３ｉは、ユーザが色成分を指定するための操作アイコンであり、照明光源６を白っぽい照明光から青っぽい照明光までの範囲で色温度を指定可能なスライダーアイコンンを表している。
【０１０７】
［３．３  青色光の有用性］
つぎに、照明光源６の発光スペクトル特に青色光の有用性について説明する。
【０１０８】
図２２は、実施の形態３における月経周期における適切な青色光量および重症度を示す図である。
【０１０９】
同図に示すように、月経前症候群の症状の生じ始める前の黄体期前半、月経約２週間前頃から青色光の照射を利用し、症状が低下、消失する月経４日目で終了することができる。
【０１１０】
こうすれば、月経前症候群が始まる前から症状をやわらげる効果を得ることができる。
【０１１１】
［３．４  ユーザインターフェース部の他の表示例］
図２３は、実施の形態３におけるＵＩ部の他の表示例を示す図である。同図は、図２１と比べて、表示項目３ｉ、３ｋ、３Ｌが追加されている点が異なる。以下異なる点を中心に説明する。
【０１１２】
表示項目３ｊ、３ｋ、３Ｌは、光量および照射時間を含む複数のパラメータに対応する複数の操作アイコンであって、複数のパラメータの値をキープするか否かを指定する操作キープボタンアイコンである。「キープする」は、パラメータの指定を許可しないことを意味し、「キープしない」は、パラメータの指定を許可することを意味する。図２３の実線枠の表示項目３ｋは「キープする」を示し、破線枠の表示項目３ｊ、３Ｌは「キープしない」を示す。
【０１１３】
また、図２３の表示項目３ｉのスライダは、最も「あお」側の位置にある。この状態で、表示項目３ｉのスライダは、表示項目３ｋによって「キープ」されている。つまり、図２３の表示例では、最大限の青色光を照射することを指定され、かつキープされている。
【０１１４】
図２４Ａは、実施の形態３における青色照度と光源全体の照度とを示す特性情報の一例を示す図である。例えば、横軸は青色光源６３の照度を、縦軸は光源全体の照度を示す。
図２４Ａの曲線の位置は、図２３の表示項目３ｉのスライダ位置に対応する。図２３の表示項目３ｉのスライダは、最も「あお」側の位置にある。この位置は、図２４ＡのＤ点に対応する。
【０１１５】
図２４Ｂは、実施の形態３における光量と照射時間との特性情報の一例を示す図である。図２４Ｂは、図２と同様である。図２３の表示項目３ａ、３ｉ、３ｂのスライド位置は、図２４ＢのＥ点に対応する。
【０１１６】
このような表示例によれば、ユーザは、青色光の光量を容易に指定することができ、非明かり照射の効果（症状の緩和）をより大きくすることができる。
【０１１７】
図２５は、実施の形態３におけるＵＩ部のさらに他の表示例と特性情報とを示す説明図である。同図は、図２３と比べて、表示項目３ｍ、３ｎが追加されている点が異なる。以下異なる点を中心に説明する。
【０１１８】
表示項目３ｍは、表示項目３ｂの全スライド範囲における指定可能な範囲の上限または下限を示すマークである。
【０１１９】
表示項目３ｎは、表示項目３ｂの全スライド範囲における指定可能な範囲の下限または上限を示すマークである。
【０１２０】
この表示例によれば、ユーザに指定可能な範囲を視認させることができ、ユーザ操作をより容易にする。
【０１２１】
以上のように、各実施の形態に係る照明システムは、ユーザに照明光を照射する照明光源６と、ユーザ操作を受け付けるユーザインターフェース部３と、前記照明光源６の光量および照射時間を制御するコントローラ２と、前記光量と前記照射時間との間に負の相関性を持たせた特性情報２１ａを記憶する記憶部２１とを備え、前記ユーザインターフェース部３に対して前記光量および前記照射時間の一方の値を指定するユーザ操作がなされたときに、前記コントローラ２は、他方の値を前記特性情報に従って決定し、指定された一方の値および決定された他方の値に従って前記照明光源を制御する。
【０１２２】
これによれば、光施療における光量および照射時間の適切な組み合わせをユーザが考慮する必要がなく、ユーザは所望するパラメータ（光量および照射時間の一方）の１つを自由に指定することができる。つまり、ユーザは、光量または照射時間の希望（例えば、弱い光を浴びたい、強い光を浴びたい、照明時間を短くしたい、長くしたい）を指定すれば、照明システム１において光量および照射時間の適切な組み合わせにすることができる。
【０１２３】
ここで、前記特性情報は、互いに異なる負の相関性を有する複数の特性曲線データ２ａ、２ｂを含み、前記コントローラは、ユーザの月経関連情報２１ｂおよび睡眠関連情報２１ｃの少なくとも一方に基づいて前記複数の特性曲線データのうち１つの特性曲線データを選択し、選択した特性曲線データに従って前記他方の値を決定してもよい。
【０１２４】
ここで、前記複数の特性曲線データは、月経前症候群または睡眠障害の症状の重さに対応してもよい。
【０１２５】
ここで、前記照明光源は、白色光を発する白色光源と、青色光を発する青色光源とを含んでいてもよい。
【０１２６】
ここで、前記記憶部は、さらに、前記照明光源の光量と前記青色光源の光量とを対応付けた調光カーブデータを記憶し、前記コントローラは、調光カーブデータに従って前記青色光源の光量を決定してもよい。
【０１２７】
ここで、前記ユーザインターフェース部は、前記光量の値および前記照射時間の値を示す表示項目を表示する表示パネルと、ユーザ操作を受け付ける操作部とを有し、前記コントローラは、指定された前記一方の値および決定された前記他方の値を表示するよう前記表示項目を更新してもよい。
【０１２８】
これによれば、ユーザはパラメータ（ここでは、光量または照射時間）の表示項目を視認しつつ、容易に所望するパラメータを指定することができる。
【０１２９】
ここで、前記表示パネルは、前記照明光の照射を開始後に残り時間を表示してもよい。
【０１３０】
ここで、前記表示パネルは、前記光量および前記照射時間の一方について指定可能な範囲の上限および下限の少なくとも一方を示すマークを表示してもよい。
【０１３１】
ここで、前記表示パネルは、前記光量および前記照射時間を含む複数のパラメータに対応する複数の操作画像と、前記複数のパラメータの値をキープするか否かを示す複数の操作ボタン画像とを表示し、前記操作部は、前記表示パネルに表示された前記複数の操作画像および複数の操作ボタンへのユーザ操作を受け付けてもよい。
【０１３２】
実施の形態１に係る操作装置は、ユーザに照明光を照射する照明光源６を制御する操作装置４であって、ユーザ操作を受け付けるユーザインターフェース部３と、前記照明光源６の光量および照射時間を制御するコントローラ２と、前記光量と前記照射時間との間に負の相関性を持たせた特性情報を記憶する記憶部２１とを備え、前記ユーザインターフェース部３に対して前記光量および前記照射時間の一方の値を指定する操作がなされたときに、前記コントローラ２は、他方の値を前記特性情報で従って決定し、指定された一方の値および決定された他方の値に従って前記照明光源を制御する。
【０１３３】
実施の形態１に係る光照射方法は、ユーザに照明光を照射する光照射方法であって、光量および照射時間の一方の値を指定するユーザ操作を受け付け、前記光量および前記照射時間のうち指定されなかった他方の値を、前記光量と前記照射時間との間に負の相関性を持たせた特性情報に従って決定し、指定された一方の値および決定された他方の値に従ってユーザに前記照明光を照射する。
【０１３４】
これによれば、光施療における光量および照射時間の適切な組み合わせをユーザが考慮する必要がなく、ユーザは所望するパラメータの１つ（つまり、光量および照射時間の一方）を自由に指定することができる。
【０１３５】
以上、本発明に係る照明システム、操作装置、光照射方法について、実施の形態に基づいて説明したが、本発明は、実施の形態に限定されるものではない。本発明の主旨を逸脱しない限り、当業者が思いつく各種変形を本実施の形態に施したものや、実施の形態および変形例における一部の構成要素を任意に組み合わせて構築される別の形態も、本発明の範囲内に含まれる。
【符号の説明】
【０１３６】
１  照明システム
２  コントローラ
２ａ、２ｂ  特性曲線データ
３  ユーザインターフェース部
６  照明光源
２１ａ  特性情報
２１ｂ  月経関連情報
２１ｃ  睡眠関連情報
６１、６２  白色光源
６３  青色光源
【図１】
2017091884.tif 000003
【図２】
2017091884.tif 000004
【図３】
2017091884.tif 000005
【図４】
2017091884.tif 000006
【図５】
2017091884.tif 000007
【図６】
2017091884.tif 000008
【図７】
2017091884.tif 000009
【図８】
2017091884.tif 000010
【図９】
2017091884.tif 000011
【図１０】
2017091884.tif 000012
【図１１Ａ】
2017091884.tif 000013
【図１１Ｂ】
2017091884.tif 000014
【図１２】
2017091884.tif 000015
【図１３】
2017091884.tif 000016
【図１４】
2017091884.tif 000017
【図１５】
2017091884.tif 000018
【図１６】
2017091884.tif 000019
【図１７】
2017091884.tif 000020
【図１８】
2017091884.tif 000021
【図１９】
2017091884.tif 000022
【図２０】
2017091884.tif 000023
【図２１】
2017091884.tif 000024
【図２２】
2017091884.tif 000025
【図２３】
2017091884.tif 000026
【図２４Ａ】
2017091884.tif 000027
【図２４Ｂ】
2017091884.tif 000028
【図２５】
2017091884.tif 000029